(57)【特許請求の範囲】
【請求項１】
第１の暗号化鍵および第３の暗号化鍵を有する申請受付装置と、
第２の暗号化鍵を有する代理人端末と、
前記第３の暗号化鍵を有する申請者端末と、
前記第１の暗号化鍵と前記第２の暗号化鍵との排他的論理和である第１の再暗号化鍵と、前記第１の暗号化鍵と前記第３の暗号化鍵との排他的論理和である第２の再暗号化鍵を有する再暗号化装置と、を含む代理申請サービスシステムにおいて、
前記申請受付装置は、
前記代理人端末からの代理申請リクエストに応答して、代理人用申請用URLと申請者用申請用URLを含むメッセージを作成し、前記第３の暗号化鍵を用いて、前記メッセージから前記申請者申請用URLを暗号化した暗号化申請者申請用URLを含む第1の暗号化メッセージを生成し、
前記第1の暗号化鍵を用いて、前記第1の暗号化メッセージに含まれる前記暗号化申請者申請用URLと前記代理人用申請用URLを暗号化した第２の暗号化メッセージを生成し、
生成した前記第２の暗号化メッセージを、前記再暗号化装置に送信し、
前記再暗号化装置は、
前記第２の暗号化メッセージの受信に応答して、前記第１の再暗号化鍵を用いて、前記第２の暗号化メッセージを再暗号化した第１の再暗号化メッセージを生成し、生成した前記第１の再暗号化メッセージを前記代理人端末に送信し、
前記第２の暗号化メッセージの受信に応答して、前記第２の再暗号化鍵を用いて、前記第２の暗号化メッセージを再暗号化した第２の再暗号化メッセージを生成し、
生成した前記第２の再暗号化メッセージを前記申請者端末に送信し、
前記代理人端末は、
前記第１の再暗号化メッセージの受信に応答して、前記第２の暗号化鍵を用いて、前記第１の再暗号化メッセージを復号した前記代理人申請用URLを含むメッセージを生成し、生成した前記代理人申請用URLを含むメッセージを用いて前記代理人申請用URLへアクセスして申請し、
前記申請者端末は、
前記第２の再暗号化メッセージの受信に応答して、前記第３の暗号化鍵を用いて、前記第２の再暗号化メッセージを復号した前記申請者申請用URLを含むメッセージを生成し、生成した前記申請者申請用URLを含むメッセージを用いて前記申請者申請用URLへアクセスして申請し、
前記申請受付装置は、前記申請者端末からの申請と、前記代理人端末からの申請とを統合することを特徴とする代理申請サービスシステム。
【請求項２】
第１の暗号化鍵および第３の暗号化鍵を有する申請受付装置と、
第２の暗号化鍵を有する代理人端末と、前記第３の暗号化鍵を有する申請者端末と、
前記第１の暗号化鍵と前記第２の暗号化鍵との排他的論理和である第１の再暗号化鍵と、前記第１の暗号化鍵と前記第３の暗号化鍵との排他的論理和である第２の再暗号化鍵とを有する再暗号化装置と、
を含む代理申請サービスシステムを用いた代理申請方法であって、
前記申請受付装置は、
前記代理人端末からの代理申請リクエストに応答して、代理人用申請用URLと申請者用申請用URLを含むメッセージを作成し、
前記第３の暗号化鍵を用いて、前記メッセージから前記申請者申請用URLを暗号化した暗号化申請者申請用URLを含む第1の暗号化メッセージを生成し、
前記第1の暗号化鍵を用いて、前記第1の暗号化メッセージに含まれる前記暗号化申請者申請用URLと前記代理人用申請用URLを暗号化した第２の暗号化メッセージを生成し、
生成した前記第２の暗号化メッセージを、前記再暗号化装置に送信し、
前記再暗号化装置は、
前記第２の暗号化メッセージの受信に応答して、前記第１の再暗号化鍵を用いて、前記第２の暗号化メッセージを再暗号化した第１の再暗号化メッセージを生成し、生成した前記第１の再暗号化メッセージを前記代理人端末に送信し、
前記第２の暗号化メッセージの受信に応答して、前記第２の再暗号化鍵を用いて、前記第２の暗号化メッセージを再暗号化した第２の再暗号化メッセージを生成し、生成した前記第２の再暗号化メッセージを前記申請者端末に送信し、
前記代理人端末は、
前記第１の再暗号化メッセージの受信に応答して、前記第２の暗号化鍵を用いて、前記第１の再暗号化メッセージを復号した前記代理人申請用URLを含むメッセージを生成し、生成した前記代理人申請用URLを含むメッセージを用いて前記代理人申請用URLへアクセスして申請し、
前記申請者端末は、
前記第２の再暗号化メッセージの受信に応答して、前記第３の暗号化鍵を用いて、前記第２の再暗号化メッセージを復号した前記申請者申請用URLを含むメッセージを生成し、生成した前記申請者申請用URLを含むメッセージを用いて前記申請者申請用URLへアクセスして申請し、
前記申請受付装置は、
前記申請者端末からの申請と、前記代理人端末からの申請とを統合することを特徴とする代理申請方法。
【発明の詳細な説明】
【技術分野】
【０００１】
本発明は、電子申請実施時に、申請者本人（以下、本人）に代わり代理人が申請するための代理申請サービスシステムおよびその方法に関する。
【背景技術】
【０００２】
本人宛に暗号化されたメッセージを、他の特定のユーザ、例えば代理人と共有するためには、通常は本人が、暗号化メッセージを一度復号し、代理人宛に再度暗号化し、暗号化したメッセージを代理人に提供する必要がある。【０００３】
しかし、本人が暗号化メッセージを一度復号すると、本人宛に暗号化されたメッセージは平文となり、セキュリティ上の懸念があった。【０００４】
特許文献1は、本人宛に暗号化されたメッセージを、本人が復号せずに、代理人宛に暗号化(再暗号化)する技術を開示している。特許文献1によれば、本人宛に暗号化されたメッセージを本人と代理人が安全に共有できる。
【先行技術文献】
【特許文献】
【０００５】
【特許文献１】特開2014-209780号公報
【発明の概要】
【発明が解決しようとする課題】
【０００６】
しかしながら、特許文献1は、本人と代理人はメッセージを安全に共有できるが、代理人が本人に代わり、本人宛のメッセージの内容を利用して受理機関に対して電子申請する代理申請について考慮していない。【０００７】
そこで、本人と代理人との本人宛のメッセージの安全な共有だけではなく、代理人が本人に少なくとも一部を代わり、受理機関に対して安全に電子申請できることが必要である。
【課題を解決するための手段】
【０００８】
開示する代理申請サービスシステムは、第１の暗号化鍵を有し、第２の暗号化鍵を有する代理人端末からの代理申請リクエストに応答して、第１の暗号化鍵を用いて、申請用URLを含むメッセージを暗号化した暗号化メッセージを生成し、送信する申請受付装置、第１の暗号化鍵と第２の暗号化鍵との排他的論理和である第１の再暗号化鍵を有し、第１の再暗号化鍵を用いて、暗号化メッセージを再暗号化した第１の再暗号化メッセージを生成し、送信する再暗号化装置、および第１の再暗号化メッセージの受信に応答して、第２の暗号化鍵を用いて、第１の再暗号化メッセージを復号したメッセージを生成し、生成したメッセージを用いて申請用URLへアクセスし、代理申請する代理人端末を有する。
【発明の効果】
【０００９】
開示する代理申請サービスシステムによれば、本人と代理人との本人宛のメッセージの安全な共有だけではなく、代理人が本人に少なくとも一部を代わり、受理機関に対して安全に電子申請できる。
【図面の簡単な説明】
【００１０】
【図１】代理申請サービスシステムの構成例である。
【図２】申請者端末のハードウェア構成例である。
【図３】代理人端末のハードウェア構成例である。
【図４】再暗号化装置のハードウェア構成例である。
【図５】申請受付装置のハードウェア構成例である。
【図６】代理申請フローチャートの一例である。
【図７】暗号化及び復号化されるメッセージの変化を表す図である。
【図８】代理申請フローチャートの他の例である。
【図９】暗号化及び復号化されるメッセージの変化を表す図である。
【発明を実施するための形態】
【００１１】
図１は、代理申請サービスシステム1の構成例である。代理申請サービスシステム1は、インターネット等のネットワーク105に接続された、申請者端末101、代理人端末102、再暗号化装置103、および申請受付装置104を有する。
【００１２】
申請者端末101は、暗号化鍵k(sr)r106を有している。暗号化鍵k(sr)r106は、復号鍵としても使用される。暗号化鍵k(sr)r106は、申請者端末101と申請受付装置104とにより予め作成されている。
【００１３】
申請受付装置104は、電子申請を受け付ける受理機関に設置され、暗号化鍵k(sr)s107および申請者端末101の暗号化鍵k(sr)r106を有している。暗号化鍵k(sr)r106および暗号化鍵k(sr)s107は、復号鍵としても使用される。暗号化鍵k(sr)s107は、申請受付装置104と申請者端末101とにより予め作成されている。
【００１４】
代理人端末102は、暗号化鍵k(sra)a108を有している。暗号化鍵k(sra)a108は、復号鍵としても使用される。暗号化鍵k(sra)a108は、代理人端末102と申請者端末101とにより予め作成されている。
【００１５】
再暗号化装置103は、再暗号化鍵k(sr)s（＋）k(sr)r109（（＋）はビット毎の排他的論理和を表す。）と再暗号化鍵k(sr)s（＋）k(sra)a110を有している。再暗号化鍵k(sr)s（＋）k(sr)r109は、申請受付装置104と申請者端末101とにより予め作成されている。再暗号化鍵k(sr)s（＋）k(sra)a110は、申請者端末101と代理人端末102とにより予め作成されている。
【００１６】
説明を簡単にするために、暗号化鍵k(sr)r106、暗号化鍵k(sr)s107、および暗号化鍵k(sra)a108の各ビット長は同じｍビットとする。したがって、再暗号化鍵k(sr)s（＋）k(sr)r109および再暗号化鍵k(sr)s（＋）k(sra)a110の各ビット長もｍビットである。さらに、後述する平文のメッセージもｍビットとする。
【００１７】
なお、説明を分かり易くするために、再暗号化装置103をネットワーク105に接続する独立した装置として説明するが、再暗号化装置103は申請受付装置104が設置されるサイト、または申請受付装置104の一部として設けることが望ましい。
【００１８】
図２は、申請者端末101のハードウェア構成例である。申請者端末101は、一般的なコンピュータにより実現し、ネットワークインタフェース部202、入力部203、出力部204、メッセージ復号部205、および申請書作成部206を有する。申請者端末101は、さらにメモリ（図示略）を有し、暗号化鍵k(sr)r106を格納している。
【００１９】
ネットワークインタフェース部202は、ネットワークカード等で構成され、ネットワーク105を介して、IP（Internet Protocol）パケットを申請受付装置104に送信すると共に、IPパケットを受信する。
【００２０】
入力部203は、キーボードやマウス等で構成され、申請者端末101のユーザ（本人）からの入力を受け付ける。出力部204は、ディスプレイやプリンタ等で構成され、申請者端末101のユーザ（本人）に情報を出力する。
【００２１】
メッセージ復号部205は、ネットワークインタフェース部202を介して受信した暗号化メッセージを復号する。
【００２２】
申請書作成部206は、ネットワーク105を介して申請受付装置104に送信する申請書を作成する。申請書は、ドキュメントとして作成されても良いし、申請受付装置104から申請者端末101に送信されたフォーム（様式）に申請内容が入力されてもよい。
【００２３】
図３は、代理人端末102のハードウェア構成例である。代理人端末102は、一般的なコンピュータにより実現し、ネットワークインタフェース部302、入力部303、出力部304、メッセージ復号部305、および申請書作成部306を有する。代理人端末102、さらにメモリ（図示略）を有し、暗号化鍵k(sra)a108を格納している。
【００２４】
ネットワークインタフェース部302は、ネットワークカード等で構成され、ネットワーク105を介して、IPパケットを申請受付装置104に送信すると共に、IPパケットを受信する。
【００２５】
入力部303は、キーボードやマウス等で構成され、代理人端末102のユーザ（代理人）からの入力を受け付ける。出力部204は、ディスプレイやプリンタ等で構成され、代理人端末102のユーザに情報を出力する。
【００２６】
メッセージ復号部305は、ネットワーク105を介して受信した再暗号化メッセージを復号する。
【００２７】
申請書作成部306は、ネットワーク105を介して申請受付装置104に送信する申請書を作成する。申請書は、ドキュメントとして作成されても良いし、申請受付装置104から代理人端末102に送信されたフォーム（様式）に申請内容が入力されてもよい。
【００２８】
図４は、再暗号化装置103のハードウェア構成例である。再暗号化装置103は、一般的なコンピュータにより実現し、ネットワークインタフェース部402およびメッセージ再暗号化部403を有する。再暗号化装置103は、さらにメモリ（図示略）を有し、再暗号化鍵k(sr)s（＋）k(sr)r109および再暗号化鍵k(sr)s（＋）k(sra)a110を格納している。
【００２９】
ネットワークインタフェース部402は、ネットワークカード等で構成され、ネットワーク105を介して、IPパケットを申請者端末101及び代理人端末102に送信すると共に、IPパケットを受信する。
【００３０】
メッセージ再暗号化部403は、ネットワーク105を介して受信した暗号化メッセージを再暗号化する。
【００３１】
図５は、申請受付装置104のハードウェア構成例である。申請受付装置104は、一般的なコンピュータにより実現し、ネットワークインタフェース部502、ウェブサービス提供部503、申請用URL生成部504、メッセージ作成部505、メッセージ暗号化部506、申請受付部507、および申請内容統合部508を有する。申請受付装置104は、さらにメモリ（図示略）を有し、暗号化鍵k(sr)ｓ107を格納している。
【００３２】
ネットワークインタフェース部502は、ネットワークカード等で構成され、ネットワーク105を介して、IPパケットを再暗号化装置103に送信すると共に、IPパケットを受信する。
【００３３】
ウェブサービス提供部503は、ネットワーク105を介して、申請者端末101および代理人端末102に、ウェブブラウザ上で表示可能なフォーマット（様式）の、たとえばhtml（HyperText Markup Language）で記述されたデータを送信し、申請者端末101及び代理人端末102のウェブブラウザ上での操作内容等のデータを受信し、受信したデータを基に、申請用URL生成部504、メッセージ作成部505、メッセージ暗号化部506、申請受付部507等の処理を実行するウェブサービスを提供する。
【００３４】
申請用URL生成部504は、代理人または申請者（本人）を識別可能なアクセスキーをパラメータとして付加した申請用URLを生成する。メッセージ作成部505は、申請用URLを含むメッセージを作成する。メッセージ暗号化部506は、ネットワーク105を介して再暗号化装置103に送信するメッセージを暗号化する。申請受付部507は、ネットワーク105を介して申請書を受付ける。申請内容統合部508は、申請者（本人）および代理人のそれぞれから受付けた申請書の内容を統合する。
【００３５】
図６は、再暗号化装置103を利用して代理申請する代理申請フローチャートの一例である。図７は、暗号化及び復号化されるメッセージの変化を表す図である。
【００３６】
代理人端末102のユーザ（代理人）は、申請受付装置104に対し、代理申請をリクエストする(s602)。代理申請リクエストは、申請受付装置104のウェブサービス提供部503から代理人端末102に送信され、代理人端末102のウェブブラウザ上に表示されたフォームに、氏名やメールアドレスなどの申請者に関する情報を入力し、申請受付装置104へ送信する。このとき、申請者の電子証明書を添付することで、入力内容を保障してもよい。
【００３７】
申請受付装置104の申請用URL作成部504は、代理申請をリクエストしてきた代理人および申請者を識別可能なアクセスキーをパラメータとして付加した申請用URLを生成する(s603)。
【００３８】
申請受付装置104のメッセージ作成部505は、生成した申請用URLを含むメッセージ702を作成する(s604)。メッセージ702は、代理人および申請者を識別可能なアクセスキーであるパラメータ703および申請用URL704を含む。
【００３９】
申請受付装置104のメッセージ暗号化部506は、暗号化鍵k(sr)s107を利用してメッセージ702を暗号化して暗号化メッセージ705を生成し、再暗号化装置103に送信する(s605)。
【００４０】
再暗号化装置103は、受信した暗号化メッセージ705を再暗号化し、代理人端末102に送信する(s606)。この処理を具体的に説明する。
【００４１】
再暗号化装置103のメッセージ再暗号化部403は、再暗号化鍵k(sr)s（＋）k(sr)r109を利用して、申請受付装置104から受信した暗号化メッセージ705を再暗号化し、再暗号化メッセージ707を生成する。再暗号化メッセージ707は、再暗号化鍵k(sr)s（＋）k(sr)r109を利用して生成されているので、メッセージ702を暗号化鍵k(sr)r106で暗号化した暗号化メッセージと同じになる。
【００４２】
なお、ここでは再暗号化メッセージ707を申請者端末101へ送信しないので、再暗号化メッセージ707を生成する必要はないが、申請者端末101へも送信する必要がある場合の処理の補足説明である。申請者端末101へ送信する場合、申請者端末101は暗号化鍵k(sr)r106を用いて再暗号化メッセージ707を復号することにより、メッセージ711を生成する。
【００４３】
さらに、再暗号化装置103のメッセージ再暗号化部403は、再暗号化鍵k(sr)s（＋）k(sra)a110を利用して、暗号化メッセージ705を再暗号化し、再暗号化メッセージ709を生成する。再暗号化メッセージ709は、再暗号化鍵k(sr)s（＋）k(sra)a110を利用して生成されているので、メッセージ702を暗号化鍵k(sra)a108で暗号化した暗号化メッセージと同じになる。
【００４４】
再暗号化装置103は、再暗号化メッセージ709を代理人端末102に送信する。
【００４５】
代理人端末102のメッセージ復号部305は、暗号化鍵兼復号鍵k(sra)a108を利用して、再暗号化装置103から受信した再暗号化メッセージ709を復号し、メッセージ711を生成する(s607)。
【００４６】
代理人端末102の申請書作成部306は、ユーザ（代理人）からの入力に基づいて申請書を作成し、申請書を申請受付装置104に提出（送信）する(s608)。申請書の提出は、代理人端末102が、復号したメッセージ711に含まれる申請用URLにアクセスし、申請受付装置104のウェブサービス提供部503から代理人端末102に送信されたフォームを利用して、代理人がドキュメントとして作成した申請書をアップロードしてもよいし、申請受付装置104のウェブサービス提供部503から代理人端末102に送信されたフォームに申請内容を代理人が入力してもよい。
【００４７】
申請受付装置104は、代理人端末102が申請受付装置104に提出した申請書を、申請受付部506にて受付ける(s609)。
【００４８】
図８は、再暗号化装置103を利用して代理申請する際の代理申請フローチャートの他の例である。図８の、図６と異なる点は、申請者（本人）と代理人とから入力された情報に基づく代理申請である。図９は、暗号化及び復号化されるメッセージの変化を表す図である。
【００４９】
代理人端末102のユーザ（代理人）は、申請受付装置104に対し、図6のs602と同様に代理申請をリクエストする(s802)。
【００５０】
申請受付装置104の申請用URL作成部504は、代理申請をリクエストしてきた代理人および申請者を識別可能なアクセスキーをパラメータとして付加した代理人用申請用URL、および申請者（本人）を識別可能なアクセスキーをパラメータとして付加した申請者用申請用URLを生成する(s803)。
【００５１】
申請受付装置104のメッセージ作成部505は、代理人用申請用URL及び申請者用申請用URLを含むメッセージ902を作成する(s804)。メッセージ902は、代理人用メッセージおよび申請者用メッセージを含み、代理人用メッセージは、代理人および申請者を識別可能なアクセスキーであるパラメータ903および代理人用申請用URL904を含み、申請者用メッセージは、申請者を識別可能なアクセスキーであるパラメータ905および申請者用申請用URL906を含む。
【００５２】
申請受付装置104のメッセージ暗号化部506は、暗号化鍵k(sr)ｒ106を利用して申請者用申請用URL906を暗号化して暗号化メッセージ908を生成し、さらに暗号化鍵k(sr)s107を利用して、暗号化メッセージ908を含むメッセージ907を暗号化して暗号化メッセージ909を生成し、暗号化メッセージ909を再暗号化装置103に送信する(s805)。暗号化メッセージ909に含まれる暗号化メッセージ911は、暗号化メッセージ908が再度暗号化されたものである。
【００５３】
再暗号化装置103は、受信した暗号化メッセージ909を再暗号化し、代理人端末102および申請者端末101に送信する(s806)。この処理を具体的に説明する。
【００５４】
再暗号化装置103のメッセージ再暗号化部403は、再暗号化鍵k(sr)s（＋）k(sr)r109を利用して、申請受付装置104から受信した暗号化メッセージ909を再暗号化し、再暗号化メッセージ912を生成する。再暗号化メッセージ912は、再暗号化鍵k(sr)s（＋）k(sr)r109を利用して生成しているので、メッセージ907が暗号化鍵k(sr)r106で暗号化した暗号化メッセージと同じになる。に再暗号化する。
【００５５】
さらに、再暗号化装置103のメッセージ再暗号化部403は、再暗号化鍵k(sr)s（＋）k(sra)a110を利用して、再暗号化メッセージ909をさらに再暗号化し、再暗号化メッセージ915を生成する。再暗号化メッセージ915は、再暗号化鍵k(sr)s（＋）k(sra)a110を利用して生成されているので、メッセージ907を暗号化鍵k(sra)a108で暗号化した暗号化メッセージと同じになる。
【００５６】
再暗号化装置103は、再暗号化メッセージ915を代理人端末102に送信し、再暗号化メッセージ912を申請者端末101に送信する(s806)。
【００５７】
代理人端末102のメッセージ復号部305は、暗号化鍵k(sra)a108を利用して、再暗号化装置103から受信した再暗号化メッセージ915を復号し、メッセージ918を生成する(s807)。メッセージ918に含まれる申請者用申請用URLの暗号化メッセージ919は、代理人端末102が暗号化鍵k(sr)r106を持たないので、代理人端末102のメッセージ復号部305では、復号できない。代理人端末102の申請書作成部306は、図6のs608と同様に申請書を作成し、申請受付装置104に提出する(s808)。
【００５８】
申請者端末101のメッセージ復号部205は、メッセージ復号部205にて、暗号化鍵k(sr)r106を利用して、再暗号化装置103から受信した暗号化メッセージ912を復号し、メッセージ920を生成し、さらに申請者用申請URLを、暗号化鍵k(sr)r106を利用して、メッセージ920に含まれる申請者用申請用URL906を暗号化して暗号化メッセージ921（暗号化メッセージ908と同じ）復号してメッセージ922を生成する(s809)。
【００５９】
申請者端末101の申請書作成部206は、申請書を作成し、申請書を申請受付装置104に提出する(s810)。申請書の提出は、申請者端末101が、復号したメッセージ922に含まれる申請者用申請用URLにアクセスし、申請受付装置104のウェブサービス提供部503から申請者端末101に送信されたフォームを利用して、申請者（本人）がドキュメントとして作成した申請書をアップロードしてもよいし、申請受付装置104のウェブサービス提供部503から申請者端末101に送信されたフォームに申請内容を申請者が入力してもよい。
【００６０】
申請受付装置104の申請受付部506は、代理人端末102が申請受付装置104に提出した申請書および申請者端末101が申請受付装置104に提出した申請書を受付ける(s811)。
【００６１】
申請受付装置104は、代理人端末102からの申請書の内容および申請者端末101からの申請書の内容を統合する。(s812)。
【００６２】
以上、申請者または代理人を識別可能なアクセスキーがパラメータとして付加された申請用URLを利用した電子申請を例として説明したが、代理申請サービスシステム1の適用先により、パラメータに替えてユーザIDやパスワードを用いてもよいし、パラメータを付加しない申請用URLを用いてもよい。
【００６３】
本実施形態によれば、申請者本人と代理人との申請者本人宛のメッセージの安全な共有だけではなく、代理人が申請者本人に少なくとも一部を代わり、受理機関に対して安全に電子申請できる。
【符号の説明】
【００６４】
1：代理申請サービスシステム、101：申請者端末、102：代理人端末、103：再暗号化装置、104：申請受付装置、105：ネットワーク、202：ネットワークインタフェース部、203：入力部、204：出力部、205：メッセージ復号部、206：申請書作成部、302：ネットワークインタフェース部、303：入力部、304：出力部、305：メッセージ復号部、306：申請書作成部、402：ネットワークインタフェース部、403：メッセージ再暗号化部、502：ネットワークインタフェース部、503：ウェブサービス提供部、504：申請用URL生成部、505：メッセージ作成部、506：メッセージ暗号化部、507：申請受付部、508：申請内容統合部。
【図１】
0006661003.tif 000002
【図２】
0006661003.tif 000003
【図３】
0006661003.tif 000004
【図４】
0006661003.tif 000005
【図５】
0006661003.tif 000006
【図６】
0006661003.tif 000007
【図７】
0006661003.tif 000008
【図８】
0006661003.tif 000009
【図９】
0006661003.tif 000010